(57)【要約】      （修正有）【課題】狭小の土地に設置する塀の構造の提供。【解決手段】塀の設置構造１１は、複数のプレキャストコンクリートパネル１４，１５として、互いに間隔を空けて地上に突出している複数の支柱１３の各々が挿入される複数の挿入部１４１が、互いに間隔を空けて下端に設けられていると共に、直上に配置される他のプレキャストコンクリートパネル１５との接続部になる複数の挿入凹部１４２が互いに間隔を空けて上端に設けられている第１のプレキャストコンクリートパネル１４と、直下に配置される他のプレキャストコンクリートパネル１４又は１５との接続部になる複数の挿入凸部１５１が互いに間隔を空けて下端に設けられていると共に、直上に配置される他のプレキャストコンクリートパネル１５の複数の挿入凸部１５１の各々が挿入される複数の挿入凹部１５２が互いに間隔を空けて上端に設けられている第２のプレキャストコンクリートパネル１５とを備えている。【選択図】図２
2020023837.tif 000002
【特許請求の範囲】
【請求項１】
長尺横長の矩形平板状をなす複数のプレキャストコンクリートパネルが塀として積み重ねられている構造であって、
互いに間隔を空けて地盤に形成されている複数の縦穴の各々に設けられている柱状の複数の基礎と、
前記複数の基礎の各々に立て付けられていて、互いに間隔を空けて地上に突出している複数の支柱と、を備え、
前記複数のプレキャストコンクリートパネルとして、
前記複数の支柱の各々が挿入される複数の挿入部が互いに間隔を空けて下端に設けられていると共に、直上に配置される他の前記プレキャストコンクリートパネルとの接続部になる複数の挿入凹部が互いに間隔を空けて上端に設けられている第１のプレキャストコンクリートパネルと、
直下に配置される他の前記プレキャストコンクリートパネルとの接続部になる複数の挿入凸部が互いに間隔を空けて下端に設けられていると共に、直上に配置される他の前記プレキャストコンクリートパネルの前記複数の挿入凸部の各々が挿入される複数の挿入凹部が互いに間隔を空けて上端に設けられている第２のプレキャストコンクリートパネルと、を備えていることを特徴とする
塀の設置構造。
【請求項２】
前記第１のプレキャストコンクリートパネルの上端に設けられている複数の挿入凹部には、直上に配置される他の前記プレキャストコンクリートパネルの前記複数の挿入凸部の各々が挿入されていて、
前記第２のプレキャストコンクリートパネルの下端に設けられている複数の挿入凸部は、直下に配置される他の前記プレキャストコンクリートパネルの前記複数の挿入凹部の各々に挿入されていることを特徴とする
請求項１に記載の塀の設置構造。
【請求項３】
前記複数の挿入凸部のうち、前記第２のプレキャストコンクリートパネルの一方の側端の最近に設けられている１個の前記挿入凸部は、他の前記挿入凸部と比較して、前記第２のプレキャストコンクリートパネルの下端から突出している部分の長さが長いものであることを特徴とする
請求項２に記載の塀の設置構造。
【請求項４】
前記複数の挿入凸部のうち、相対的に前記第２のプレキャストコンクリートパネルの一方の側端寄りに設けられている前記挿入凸部は、相対的に前記第２のプレキャストコンクリートパネルの他方の側端寄りに設けられている前記挿入凸部と比較して、前記第２のプレキャストコンクリートパネルの下端から突出している部分の長さが長いものであることを特徴とする
請求項３に記載の塀の設置構造。
【発明の詳細な説明】
【技術分野】
【０００１】
本発明は、塀の設置構造に関する。
【背景技術】
【０００２】
特許文献１には、Ｌ型ブロックを並べた塀が開示されている。この塀は、地盤に埋め込まれるフーチングがベタ基礎に固定されることで築造される。
【先行技術文献】
【特許文献】
【０００３】
【特許文献１】特開平１０−００１９５４号公報（図６及び図７参照）
【発明の概要】
【発明が解決しようとする課題】
【０００４】
このようなＬ型ブロックを並べた塀は、地盤に埋め込まれるフーチングが所定の幅を有しているので、狭小の土地に設置することができない。
【０００５】
本発明は、上記課題を鑑みてなされたものであり、狭小の土地に設置することができる塀の設置構造を提供することを目的とする。
【課題を解決するための手段】
【０００６】
（１）本発明は、長尺横長の矩形平板状の複数のプレキャストコンクリートパネルが塀として積み重ねられている構造であって、互いに間隔を空けて地盤に形成されている複数の縦穴の各々に設けられている柱状の複数の基礎と、前記複数の基礎の各々に立て付けられていて、互いに間隔を空けて地上に突出している複数の支柱と、を備え、前記複数の基礎の各々に立て付けられていて、互いに間隔を空けて地上に突出している複数の支柱と、を備え、前記複数のプレキャストコンクリートとして、前記複数の支柱の各々が挿入される複数の挿入部が互いに間隔を空けて下端に設けられていると共に、直上に配置される他の前記プレキャストコンクリートパネルとの接続部になる複数の挿入凹部が互いに間隔を空けて上端に設けられている第１のプレキャストコンクリートパネルと、直下に配置される他の前記プレキャストコンクリートパネルとの接続部になる複数の挿入凸部が互いに間隔を空けて下端に設けられていると共に、直上に配置される他の前記プレキャストコンクリートパネルの前記複数の挿入凸部の各々が挿入される複数の挿入凹部が互いに間隔を空けて上端に設けられている第２のプレキャストコンクリートパネルと、を備えていることを特徴とする塀の設置構造である。
【０００７】
（２）本発明はまた、前記第１のプレキャストコンクリートパネルの上端に設けられている複数の挿入凹部には、直上に配置される他の前記プレキャストコンクリートパネルの前記複数の挿入凸部の各々が挿入されていて、前記第２のプレキャストコンクリートパネルの下端に設けられている複数の挿入凸部は、直下に配置される他の前記プレキャストコンクリートパネルの前記複数の挿入凹部の各々に挿入されていることを特徴とする上記（１）に記載の塀の設置構造である。
【０００８】
本発明によれば、互いに間隔を空けて地上に突出している複数の支柱に、互いに間隔を空けて下端に設けられている複数の挿入部を嵌めることで第１のプレキャストコンクリートパネルを配置することができる。その後、互いに間隔を空けて第１のプレキャストコンクリートパネルの上端に設けられている複数の挿入凹部に、互いに間隔を空けて下端に設けられている複数の挿入凸部を挿入することで第２のプレキャストコンクリートパネルを配置することができる。その後、互いに間隔を空けて第２のプレキャストコンクリートパネルの上端に設けられている複数の挿入凹部に、互いに間隔を空けて下端に設けられている複数の挿入凸部を挿入することで他の第２のプレキャストコンクリートパネルを配置することができる。このように、複数のプレキャストコンクリートパネルを積み重ねるだけで、塀を設置することができる。このため、狭小の土地であっても塀を設置することができる。
【０００９】
また、積み重ねるプレキャストコンクリートパネルの枚数を変更するだけで、塀の高さを調整することができる。
【００１０】
（３）本発明はまた、前記複数の挿入凸部のうち、前記第２のプレキャストコンクリートパネルの一方の側端の最近に設けられている１個の前記挿入凸部は、他の前記挿入凸部と比較して、前記第２のプレキャストコンクリートパネルの下端から突出している部分の長さが長いものであることを特徴とする上記（２）に記載の塀の設置構造である。
【００１１】
上記発明によれば、直下のプレキャストコンクリートパネルの上端に互いに間隔を空けて設けられている複数の挿入凹部のうち対応する挿入凹部に、突出している部分の長さが最も長い挿入凸部を挿入してから、残りの挿入凹部に残りの挿入凸部を挿入することで、直下のプレキャストコンクリートパネルの直上に他のプレキャストコンクリートパネルを配置することができる。このように、突出している部分の長さが最も長い挿入凸部を基準にして、残りの挿入凸部を対応する挿入凹部に挿入することができ、複数の挿入凸部を対応する挿入凹部に同時に挿入する場合と比較して、プレキャストコンクリートパネルの配置作業が容易である。
【００１２】
（４）本発明はまた、前記複数の挿入凸部のうち、相対的に前記第２のプレキャストコンクリートパネルの一方の側端寄りに設けられている前記挿入凸部が、相対的に前記第２のプレキャストコンクリートパネルの他方の側端寄りに設けられている前記挿入凸部と比較して、前記第２のプレキャストコンクリートパネルの下端から突出している部分の長さが長いものであることを特徴とする上記（３）に記載の塀の設置構造である。
【００１３】
上記発明によれば、突出している部分の長さが最も長い挿入凸部を基準にして、残りの挿入凸部を対応する挿入凹部に順々に挿入することができ、複数の挿入凸部を対応する挿入凹部に同時に挿入する場合と比較して、プレキャストコンクリートパネルの配置作業が更に容易である。
【発明の効果】
【００１４】
本発明の上記（１）〜（４）に記載の塀の設置構造によれば、狭小の土地に設置することができる。
【図面の簡単な説明】
【００１５】
【図１】本発明の第１実施形態に係る塀の設置構造を示す正面図である。
【図２】図１の塀の設置構造を示す分解正面図である。
【図３】図１の塀の設置構造を施工する方法の流れを説明するフローチャートである。
【図４】本発明の第２実施形態に係る塀の設置構造を示す分解正面図である。
【発明を実施するための形態】
【００１６】
以下、図面を参照して、本発明の実施形態に係る塀の設置構造１１，２１について詳細に説明する。
【００１７】
［第１実施形態］まず、図１及び図２を用いて、第１実施形態に係る塀の設置構造１１の構成について説明する。図１は、塀の設置構造１１を示す正面図である。図２は、塀の設置構造１１を示す分解正面図である。
【００１８】
図１及び図２に示す塀の設置構造１１は、長尺横長の矩形平板状をなす複数のプレキャストコンクリートパネル１４，１５が塀として積み重ねられている構造である。具体的に、塀の設置構造１１は、複数の基礎１２と、複数の支柱１３と、複数のプレキャストコンクリートパネル１４，１５と、等を備えている。
【００１９】
基礎１２は、地盤ＧＲの縦穴に設けられている柱状の基礎であり、地盤ＧＲの縦穴に充填された生コンクリート等の充填材が、支柱１３が立て付けられた後に固化したものである。複数の基礎１２は、互いに、プレキャストコンクリートパネル１４の下端から上端に設けられている挿入部１４１同士の間隔に応じた間隔を空けて設けられている。
【００２０】
支柱１３は、基礎１２の深さよりも長い長さを有していて、且つ、例えば４８．６ｍｍの外径寸法を有している円筒状の鋼管である。複数の支柱１３は、複数の基礎１２の各々に立て付けられていて、互いに間隔を空けて地上に突出している。複数の支柱１３の各々の地上に突出している部分には、第１のプレキャストコンクリートパネル１４の下端に互いに間隔を空けて設けられている複数の挿入部１４１が嵌められている。支柱１３の地上に突出している部分の長さは、第１のプレキャストコンクリートパネル１４の挿入部１４１の長さと比較して、同等に又は短めに設定されている。
【００２１】
第１のプレキャストコンクリートパネル１４は、例えば４００ｍｍ×４０００ｍｍ×１５０ｍｍの寸法を有している。この第１のプレキャストコンクリートパネル１４には、複数の支柱１３の各々が挿入される複数の挿入部１４１が互いに間隔を空けて下端から上端に貫通するように設けられていると共に、直上に配置される他のプレキャストコンクリートパネル１５との接続部になる複数の挿入凹部１４２が互いに間隔を空けて上端に設けられている。
【００２２】
複数の挿入部１４１の各々は、例えば７６．３ｍｍの外径寸法を有している円筒状の鋼管から構成されている。これら複数の挿入部１４１の各々は、第１のプレキャストコンクリートパネル１４の中に上下方向に沿うように埋め込まれていて、当該第１のプレキャストコンクリートパネル１４の下端及び上端から端部が露出している。そして、複数の挿入部１４１の各々には、互いに間隔を空けて地上に突出している支柱３が挿入されていて、その隙間がセメントグラウトで埋められている。挿入部１４の長さは、支柱１３の地上に突出している部分の長さと比較して、同等又は長めに設定されている。
【００２３】
複数の挿入凹部１４２の各々は、例えば７６．３ｍｍの外径寸法を有している円筒状の鋼管から構成されている。これら複数の挿入凹部１４２の各々は、第１のプレキャストコンクリートパネル１４の中に上下方向に沿うように埋め込まれていて、当該第１のプレキャストコンクリートパネル１４の上端から端部が露出している。そして、複数の挿入凹部１４２の各々には、第２のプレキャストコンクリートパネル１５の下端に互いに間隔を空けて設けられている複数の挿入凸部１５１が挿入されていて、その隙間がセメントグラウトで埋められている。挿入凹部１４２の長さは、第２のプレキャストコンクリートパネル１５の挿入凸部１５１における突出している部分の長さと比較して、同等又は長めに設定されている。
【００２４】
第２のプレキャストコンクリートパネル１５は、例えば４００ｍｍ×４０００ｍｍ×１５０ｍｍの寸法を有している。この第２のプレキャストコンクリートパネル１５には、直下に配置される他のプレキャストコンクリートパネル１４又は１５との接続部になる複数の挿入凸部１５１が互いに間隔を空けて下端に設けられていると共に、直上に配置される他のプレキャストコンクリートパネル１５との接続部になる複数の挿入凹部１５２が互いに間隔を空けて上端に設けられている。
【００２５】
複数の挿入凸部１５１の各々は、例えば４８．６ｍｍの外径寸法を有している円筒状の鋼管から構成されている。これら複数の挿入凸部１５１の各々は、挿入凹部１５２に溶接等で接続されている状態で第２のプレキャストコンクリートパネル１５の中に上下方向に沿うように埋め込まれていて、当該第２のプレキャストコンクリートパネル１５の下端から突出している。そして、複数の挿入凸部１５１の各々には、プレキャストコンクリートパネル１４又は１５の上端に互いに間隔を空けて設けられている複数の挿入凹部１４２又は１５２が嵌められていて、その隙間がセメントグラウトで埋められている。
【００２６】
挿入凸部１５１における突出している部分の長さは、第１のプレキャストコンクリートパネル１４の挿入凹部１４２の長さと比較して、同等又は短めに設定されていると共に、第２のプレキャストコンクリートパネル１５の挿入凹部１５２の長さと比較して、同等又は短めに設定されている。
【００２７】
複数の挿入凹部１５２の各々は、例えば７６．３ｍｍの外径寸法を有している円筒状の鋼管から構成されている。これら複数の挿入凹部１５２の各々は、挿入凸部１５１に溶接等で接続されている状態で第２のプレキャストコンクリートパネル１５の中に上下方向に沿うように埋め込まれていて、当該第２のプレキャストコンクリートパネル１５の上端から端部が露出している。そして、複数の挿入凹部１５２の各々には、他のプレキャストコンクリートパネル１５の下端に互いに間隔を空けて設けられている複数の挿入凸部１５１が挿入されていて、その隙間がセメントグラウトで埋められている。
【００２８】
ただし、最上に積み重ねられている第２のプレキャストコンクリートパネル１５に設けられている複数の挿入凹部１５２の各々は、セメントグラウト（図示省略）で埋められている。挿入凹部１５２の長さは、挿入凸部１５１における突出している部分の長さと比較して、同等又は長めに設定されている。
【００２９】
次に、図３を用いて、塀の設置構造１１を施工する方法について説明する。図３は、塀の設置構造１１を施工する流れを説明するフローチャートである。
【００３０】
図３に示すように、塀の設置構造１１を施工する方法は、支柱設置工程Ｓ１１と、第１のパネル配置工程Ｓ１２と、第２のパネル配置工程Ｓ１３と、等を備えている。
【００３１】
支柱設置工程Ｓ１１は、地盤ＧＲに複数の支柱１３を設置する工程である。この支柱設置工程Ｓ１１では、まず、プレキャストコンクリートパネル１４の下端から上端に設けられている挿入部１４１同士の間隔に応じた間隔を空けて、地盤ＧＲに複数の縦穴を形成する。そして、地盤ＧＲに形成した複数の縦穴に生コンクリート等の充填材を充填し、充填材が固化する前に、複数の縦穴の各々に支柱１３を立て付ける。充填材が固化することで、地上に突出するように複数の支柱１３が設置される。
【００３２】
第１のパネル配置工程Ｓ１２は、地盤ＧＲに設置されている複数の支柱１３を用いて第１のプレキャストコンクリートパネル１４を配置する工程である。この第１のパネル配置工程Ｓ１２では、まず、地上に突出している複数の支柱１３の各々に、複数の挿入部１４１の各々を上方から嵌めるように第１のプレキャストコンクリートパネル１４を配置する。そして、第１のプレキャストコンクリートパネル１４の上端から、複数の挿入部１４１の各々と、当該複数の挿入部１４１の各々に挿入されている複数の支柱１３の各々と、の隙間にセメントグラウトを流し込むことで、第１のプレキャストコンクリートパネル１４が複数の支柱１３に固定される。
【００３３】
第２のパネル配置工程Ｓ１３は、プレキャストコンクリートパネル１４又は１５の上に第２のプレキャストコンクリートパネル１５を積み重ねる工程である。この第２のパネル配置工程Ｓ１３では、まず、第１のプレキャストコンクリートパネル１４の上端から、複数の挿入凹部１４２の各々にセメントグラウトを流し込む。そして、そのセメントグラウトが固化する前に、第１のプレキャストコンクリートパネル１４の複数の挿入凹部１４２の各々に、複数の挿入凸部１５１の各々を上方から挿入するように第２のプレキャストコンクリートパネル１５を配置する。これにより、第１のプレキャストコンクリートパネル１４の上に第２のプレキャストコンクリートパネル１５が積み重ねられる。
【００３４】
これで施工を終了にする場合（Ｓ１４でＹＥＳ）には、最後に、第２のプレキャストコンクリートパネル１５の上端から、複数の挿入凹部１５２の各々にセメントグラウトを流し込むことで、複数の挿入凹部１５２の各々をセメントグラウトで埋める。
【００３５】
その後、施工を続ける場合（Ｓ１４でＮＯ）には、第２のパネル配置工程Ｓ１３に戻る。２度目以降の第２のパネル配置工程Ｓ１３では、まず、現状で一番上に配置されている第２のプレキャストコンクリートパネル１５の上端から、複数の挿入凹部１５２の各々にセメントグラウトを流し込む。そして、そのセメントグラウトが固化する前に、現状で一番上に配置されている第２のプレキャストコンクリートパネル１５の複数の挿入凹部１５２の各々に、複数の挿入凸部１５１の各々を上方から挿入するように他の第２のプレキャストコンクリートパネル１５を配置する。これにより、第２のプレキャストコンクリートパネル１５の上に、他の第２のプレキャストコンクリートパネル１５が積み重ねられる。
【００３６】
このように、塀の設置構造１１によれば、互いに間隔を空けて地上に突出している複数の支柱１３に、互いに間隔を空けて下端に設けられている複数の挿入部１４１を嵌めることで第１のプレキャストコンクリートパネル１４を配置することができる。その後、互いに間隔を空けて第１のプレキャストコンクリートパネル１４の上端に設けられている複数の挿入凹部１４２に、互いに間隔を空けて下端に設けられている複数の挿入凸部１５１を挿入することで第２のプレキャストコンクリートパネル１５を配置することができる。その後、互いに間隔を空けて第２のプレキャストコンクリートパネル１５の上端に設けられている複数の挿入凹部１５２に、互いに間隔を空けて下端に設けられている複数の挿入凸部１５１を挿入することで他の第２のプレキャストコンクリートパネル１５を配置することができる。このように、複数のプレキャストコンクリートパネル１４，１５を積み重ねるだけで、塀を設置することができる。このため、狭小の土地であっても塀を設置することができる。
【００３７】
また、積み重ねるプレキャストコンクリートパネル１４，１５の枚数を変更するだけで、塀の高さを調整することができる。
【００３８】
［第２実施形態］次に、図４を用いて、第２実施形態に係る塀の設置構造２１の構成について説明する。図４は、塀の設置構造２１を示す分解正面図である。なお、第１実施形態と同様の構成、作用及び効果についての説明は適宜省略する。
【００３９】
図４に示す塀の設置構造２１は、第２のプレキャストコンクリートパネル１５に代えて第２のプレキャストコンクリートパネル２５を備えている点で、第１の実施形態と相違する。
【００４０】
第２のプレキャストコンクリートパネル２５は、第２のプレキャストコンクリートパネル１５と同様、例えば４００ｍｍ×４０００ｍｍ×１５０ｍｍの寸法を有している。この第２のプレキャストコンクリートパネル２５には、直下に配置される他のプレキャストコンクリートパネル１４又は２５との接続部になる複数の挿入凸部２５１Ａ，２５１Ｂ，２５１Ｃが互いに間隔を空けて下端に設けられていると共に、直上に配置される他のプレキャストコンクリートパネル２５との接続部になる複数の挿入凹部１５２が互いに間隔を空けて上端に設けられている。
【００４１】
複数の挿入凸部２５１Ａ，２５１Ｂ，２５１Ｃの各々は、例えば４８．６ｍｍの外径寸法を有している円筒形状の鋼管から構成されている。これら複数の挿入凸部２５１Ａ，２５１Ｂ，２５１Ｃの各々は、挿入凹部１５２に溶接等で接続されている状態で第２のプレキャストコンクリートパネル２５の中に上下方向に沿うように埋め込まれていて、当該第２のプレキャストコンクリートパネル２５の下端から突出している。そして、複数の挿入凸部２５１Ａ，２５１Ｂ，２５１Ｃの各々には、プレキャストコンクリートパネル１４又は２５の上端に互いに間隔を空けて設けられている複数の挿入凹部１４２又は１５２が嵌められていて、その隙間がセメントグラウトで埋められている。
【００４２】
挿入凸部２５１Ａ，２５１Ｂ，２５１Ｃにおける第２のプレキャストコンクリートパネル２５の下端から突出している部分の長さは、第１のプレキャストコンクリートパネル１４の挿入凹部１４２の長さと比較して、同等又は短めに設定されていると共に、第２のプレキャストコンクリートパネル２５の挿入凹部１５２の挿入凹部の長さと比較して、同等又は短めに設定されている。
【００４３】
複数の挿入凸部２５１Ａ，２５１Ｂ，２５１Ｃのうち、第２のプレキャストコンクリートパネル２５の一方の側端の最近に設けられている１個の挿入凸部２５１Ａは、他の挿入凸部２５１Ｂ，２５１Ｃと比較して、第２のプレキャストコンクリートパネル２５の下端から突出している部分の長さが長いものである。また、複数の挿入凸部２５１Ａ，２５１Ｂ，２５１Ｃのうち、相対的に第２のプレキャストコンクリートパネル２５の一方の側端寄りに設けられている挿入凸部（挿入凸部２５１Ｂに対する挿入凸部２５１Ａ、又は挿入凸部２５１Ｃに対する挿入凸部２５１Ａ，２５１Ｂ）は、相対的に第２プレキャストコンクリートパネル２５の他方の側端寄りに設けられている挿入凸部（挿入凸部２５１Ａに対する挿入凸部２５１Ｂ，２５１Ｃ、又は挿入凸部２５１Ｂに対する挿入凸部２５１Ｃ）と比較して、第２のプレキャストコンクリートパネル２５の下端から突出している部分の長さが長いものである。例えば、第２のプレキャストコンクリートパネル２５の下端から突出している部分の長さは、挿入凸部２５１Ａが２００ｍｍで、挿入凸部２５１Ｂが１８０ｍｍで、挿入凸部２５１Ｃが１５０ｍｍである。
【００４４】
複数の挿入凹部１５２の各々は、例えば７６．３ｍｍの外径寸法を有している円筒状の鋼管から構成されている。これら複数の挿入凹部１５２の各々は、挿入凸部２５１Ａ，２５１Ｂ，２５１Ｃに溶接等で接続されている状態で第２のプレキャストコンクリートパネル２５の中に上下方向に沿うように埋め込まれていて、当該第２のプレキャストコンクリートパネル２５の上端から端部が露出している。そして、複数の挿入凹部１５２の各々には、他のプレキャストコンクリートパネル２５の下端に互いに間隔を空けて設けられている複数の挿入凸部２５１Ａ，２５１Ｂ，２５１Ｃが挿入されていて、その隙間がセメントグラウトで埋められている。
【００４５】
このように、塀の設置構造２１によれば、直下のプレキャストコンクリートパネル１４又は２５の上端に互いに間隔を空けて設けられている複数の挿入凹部１４２又は１５２のうち対応する挿入凹部１４２又は１５２に、突出している部分の長さが最も長い挿入凸部２５１Ａを挿入してから、残りの挿入凹部１４２又は１５２に残りの挿入凸部２５１Ｂ，２５１Ｃを挿入することで、直下のプレキャストコンクリートパネル１４又は２５の直上に他のプレキャストコンクリートパネル２５を配置することができる。このように、突出している部分の長さが最も長い挿入凸部２５１Ａを基準にして、残りの挿入凸部２５１Ｂ，２５１Ｃを対応する挿入凹部１４２又は１５２に挿入することができ、複数の挿入凸部１５１を対応する挿入凹部１４２又は１５２に同時に挿入する第１実施形態の場合と比較して、プレキャストコンクリートパネル２５の配置作業が容易である。
【００４６】
また、突出している部分の長さが最も長い挿入凸部２５１Ａを基準にして、残りの挿入凸部２５１Ｂ，２５１Ｃを対応する挿入凹部１４２又は１５２に順々に挿入することができ、複数の挿入凸部１５１を対応する挿入凹部１４２又は１５２に同時に挿入する第１実施形態の場合と比較して、プレキャストコンクリートパネル２５の配置作業が更に容易である。
【００４７】
本発明は、上記各実施形態に限られるものではなく、その趣旨及び技術思想を逸脱しない範囲で種々の変形が可能である。すなわち、各構成の位置、大きさ、長さ、数量、形状、材質などは適宜変更できる。
【００４８】
例えば、上記各実施形態において、基礎１２、支柱１３、挿入部１４１、挿入凹部１４２、挿入凸部１５１，２５１Ａ，２５１Ｂ，２５１Ｃ、挿入凹部１５２等の数量は、適宜変更してもよい。
【００４９】
あるいは、上記各実施形態において、一番端に設けられている支柱１３における地上に突出している部分の長さを、他の支柱１３における地上に突出している部分の長さと比較して、長めに設定しておいてもよい。また、複数の支柱１３における地上に突出している部分の長さを、順々に短くなるように設定しておいてもよい。これにより、複数の挿入凸部２５１Ａ，２５１Ｂ，２５１Ｃにおける第２のプレキャストコンクリート２５の下端から突出している長さを互いに異なるように設定した場合と同様の効果を奏する。
【符号の説明】
【００５０】
１１，２１  塀の設置構造
１２  基礎
１３  支柱
１４  プレキャストコンクリートパネル（第１のプレキャストコンクリートパネル）
１４１  挿入部
１４２  挿入凹部
１５，２５  プレキャストコンクリートパネル（第２のプレキャストコンクリートパネル）
１５１，２５１Ａ，２５１Ｂ，２５１Ｃ  挿入凸部
１５２  挿入凹部
ＧＲ  地盤
Ｓ１１  支柱設置工程
Ｓ１２  第１のパネル配置工程
Ｓ１３  第２のパネル配置工程
【図１】
2020023837.tif 000003
【図２】
2020023837.tif 000004
【図３】
2020023837.tif 000005
【図４】
2020023837.tif 000006
【手続補正書】
【提出日】平成30年9月21日(2018.9.21)
【手続補正１】
【補正対象書類名】特許請求の範囲
【補正対象項目名】全文
【補正方法】変更
【補正の内容】
【特許請求の範囲】
【請求項１】
長尺横長の矩形平板状をなす複数のプレキャストコンクリートパネルが塀として積み重ねられている構造であって、
互いに間隔を空けて地盤に形成されている複数の縦穴の各々に設けられている柱状の複数の基礎と、
前記複数の基礎の各々に立て付けられていて、互いに間隔を空けて地上に突出している複数の支柱と、を備え、
前記複数のプレキャストコンクリートパネルとして、
前記複数の支柱の各々が挿入される複数の挿入部が互いに間隔を空けて下端に設けられていると共に、直上に配置される他の前記プレキャストコンクリートパネルとの接続部になる複数の挿入凹部が互いに間隔を空けて上端に設けられている第１のプレキャストコンクリートパネルと、
直下に配置される他の前記プレキャストコンクリートパネルとの接続部になる複数の挿入凸部が互いに間隔を空けて下端に設けられていると共に、直上に配置される他の前記プレキャストコンクリートパネルの前記複数の挿入凸部の各々が挿入される複数の挿入凹部が互いに間隔を空けて上端に設けられている第２のプレキャストコンクリートパネルと、を備え、
前記第１のプレキャストコンクリートパネルの上端に設けられている複数の挿入凹部には、直上に配置される他の前記プレキャストコンクリートパネルの前記複数の挿入凸部の各々が挿入されていて、
前記第２のプレキャストコンクリートパネルの下端に設けられている複数の挿入凸部は、直下に配置される他の前記プレキャストコンクリートパネルの前記複数の挿入凹部の各々に挿入されていて、
前記複数の挿入凸部のうち、前記第２のプレキャストコンクリートパネルの一方の側端の最近に設けられている１個の前記挿入凸部は、他の前記挿入凸部と比較して、前記第２のプレキャストコンクリートパネルの下端から突出している部分の長さが長いものであることを特徴とする
塀の設置構造。
【請求項２】
前記複数の挿入凸部のうち、相対的に前記第２のプレキャストコンクリートパネルの一方の側端寄りに設けられている前記挿入凸部は、相対的に前記第２のプレキャストコンクリートパネルの他方の側端寄りに設けられている前記挿入凸部と比較して、前記第２のプレキャストコンクリートパネルの下端から突出している部分の長さが長いものであることを特徴とする
請求項１に記載の塀の設置構造。
【手続補正２】
【補正対象書類名】明細書
【補正対象項目名】０００６
【補正方法】変更
【補正の内容】
【０００６】
（１）本発明は、長尺横長の矩形平板状の複数のプレキャストコンクリートパネルが塀として積み重ねられている構造であって、互いに間隔を空けて地盤に形成されている複数の縦穴の各々に設けられている柱状の複数の基礎と、前記複数の基礎の各々に立て付けられていて、互いに間隔を空けて地上に突出している複数の支柱と、を備え、前記複数の基礎の各々に立て付けられていて、互いに間隔を空けて地上に突出している複数の支柱と、を備え、前記複数のプレキャストコンクリートとして、前記複数の支柱の各々が挿入される複数の挿入部が互いに間隔を空けて下端に設けられていると共に、直上に配置される他の前記プレキャストコンクリートパネルとの接続部になる複数の挿入凹部が互いに間隔を空けて上端に設けられている第１のプレキャストコンクリートパネルと、直下に配置される他の前記プレキャストコンクリートパネルとの接続部になる複数の挿入凸部が互いに間隔を空けて下端に設けられていると共に、直上に配置される他の前記プレキャストコンクリートパネルの前記複数の挿入凸部の各々が挿入される複数の挿入凹部が互いに間隔を空けて上端に設けられている第２のプレキャストコンクリートパネルと、を備え、前記第１のプレキャストコンクリートパネルの上端に設けられている複数の挿入凹部には、直上に配置される他の前記プレキャストコンクリートパネルの前記複数の挿入凸部の各々が挿入されていて、前記第２のプレキャストコンクリートパネルの下端に設けられている複数の挿入凸部は、直下に配置される他の前記プレキャストコンクリートパネルの前記複数の挿入凹部の各々に挿入されていて、前記複数の挿入凸部のうち、前記第２のプレキャストコンクリートパネルの一方の側端の最近に設けられている１個の前記挿入凸部は、他の前記挿入凸部と比較して、前記第２のプレキャストコンクリートパネルの下端から突出している部分の長さが長いものであることを特徴とする塀の設置構造である。
【手続補正３】
【補正対象書類名】明細書
【補正対象項目名】０００７
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
さらに、直下のプレキャストコンクリートパネルの上端に互いに間隔を空けて設けられている複数の挿入凹部のうち対応する挿入凹部に、突出している部分の長さが最も長い挿入凸部を挿入してから、残りの挿入凹部に残りの挿入凸部を挿入することで、直下のプレキャストコンクリートパネルの直上に他のプレキャストコンクリートパネルを配置することができる。このように、突出している部分の長さが最も長い挿入凸部を基準にして、残りの挿入凸部を対応する挿入凹部に挿入することができ、複数の挿入凸部を対応する挿入凹部に同時に挿入する場合と比較して、プレキャストコンクリートパネルの配置作業が容易である。
【手続補正６】
【補正対象書類名】明細書
【補正対象項目名】００１２
【補正方法】変更
【補正の内容】
【００１２】
（２）本発明はまた、前記複数の挿入凸部のうち、相対的に前記第２のプレキャストコンクリートパネルの一方の側端寄りに設けられている前記挿入凸部が、相対的に前記第２のプレキャストコンクリートパネルの他方の側端寄りに設けられている前記挿入凸部と比較して、前記第２のプレキャストコンクリートパネルの下端から突出している部分の長さが長いものであることを特徴とする上記（１）に記載の塀の設置構造である。
【手続補正７】
【補正対象書類名】明細書
【補正対象項目名】００１４
【補正方法】変更
【補正の内容】
【００１４】
本発明の上記（１）及び（２）に記載の塀の設置構造によれば、狭小の土地に設置することができる。
【手続補正８】
【補正対象書類名】明細書
【補正対象項目名】００１５
【補正方法】変更
【補正の内容】
【００１５】
【図１】参考形態に係る塀の設置構造を示す正面図である。
【図２】図１の塀の設置構造を示す分解正面図である。
【図３】図１の塀の設置構造を施工する方法の流れを説明するフローチャートである。
【図４】本発明の実施形態に係る塀の設置構造を示す分解正面図である。
【手続補正９】
【補正対象書類名】明細書
【補正対象項目名】００１６
【補正方法】変更
【補正の内容】
【００１６】
以下、図面を参照して、参考形態又は本発明の実施形態に係る塀の設置構造１１，２１について詳細に説明する。
【手続補正１０】
【補正対象書類名】明細書
【補正対象項目名】００１７
【補正方法】変更
【補正の内容】
【００１７】
［参考形態］まず、図１及び図２を用いて、参考形態に係る塀の設置構造１１の構成について説明する。図１は、塀の設置構造１１を示す正面図である。図２は、塀の設置構造１１を示す分解正面図である。
【手続補正１１】
【補正対象書類名】明細書
【補正対象項目名】００３８
【補正方法】変更
【補正の内容】
【００３８】
［本発明の実施形態］次に、図４を用いて、実施形態に係る塀の設置構造２１の構成について説明する。図４は、塀の設置構造２１を示す分解正面図である。なお、参考形態と同様の構成、作用及び効果についての説明は適宜省略する。
【手続補正１２】
【補正対象書類名】明細書
【補正対象項目名】００４７
【補正方法】変更
【補正の内容】
【００４７】
本発明は、上記実施形態に限られるものではなく、その趣旨及び技術思想を逸脱しない範囲で種々の変形が可能である。すなわち、各構成の位置、大きさ、長さ、数量、形状、材質などは適宜変更できる。
【手続補正１３】
【補正対象書類名】明細書
【補正対象項目名】００４８
【補正方法】変更
【補正の内容】
【００４８】
例えば、上記実施形態において、基礎１２、支柱１３、挿入部１４１、挿入凹部１４２、挿入凸部１５１，２５１Ａ，２５１Ｂ，２５１Ｃ、挿入凹部１５２等の数量は、適宜変更してもよい。
【手続補正１４】
【補正対象書類名】明細書
【補正対象項目名】００４９
【補正方法】変更
【補正の内容】
【００４９】
あるいは、上記実施形態において、一番端に設けられている支柱１３における地上に突出している部分の長さを、他の支柱１３における地上に突出している部分の長さと比較して、長めに設定しておいてもよい。また、複数の支柱１３における地上に突出している部分の長さを、順々に短くなるように設定しておいてもよい。これにより、複数の挿入凸部２５１Ａ，２５１Ｂ，２５１Ｃにおける第２のプレキャストコンクリート２５の下端から突出している長さを互いに異なるように設定した場合と同様の効果を奏する。